(57)【要約】【課題】通信方式が融合された通信ネットワークにおいても、効率的なコネクション管理を実現するとともに、移動機の在圏状態の管理を可能にすること。【解決手段】このデータ通信管理装置６は、コネクション情報を取得するとともに通信の発生を検出する呼処理部１１と、コネクション情報を格納する優先データ格納部１５及び非優先データ格納部１６と、コネクション情報を、無通信状態が所定時間以上継続している場合に非優先データ格納部１６に移動し、通信の発生が検出された場合に優先データ格納部１５に移動するコネクション情報管理部１４と、データ格納部１５，１６に格納されているコネクション情報に含まれる移動機電話番号に基づいて移動機２の在圏状態を判断する状態判断部１８と、優先データ格納部１５に格納されているコネクション情報をデータ通信に応じて出力するコネクション情報伝達部１９とを備える。【選択図】図２
2007306401.tif 000002
【特許請求の範囲】
【請求項１】
移動機と通信ネットワークとの間のコネクションを管理するコネクション管理装置であって、
前記コネクションの確立に応じて、前記移動機を特定する移動機特定情報を含むコネクション情報を取得するとともに、前記コネクションにおける通信の発生を検出する情報取得手段と、
前記情報取得手段によって取得されたコネクション情報を格納する第１の情報格納手段と、
前記情報取得手段によって取得されたコネクション情報を、前記第１の情報格納手段とは異なるデータ領域に格納する第２の情報格納手段と、
前記第１の情報格納手段に格納されているコネクション情報を、該コネクション情報に対応するコネクションにおける無通信状態が所定時間以上継続している場合に、前記第２の情報格納手段に移動する第１のデータ移動手段と、
前記第２の情報格納手段に格納されているコネクション情報を、前記情報取得手段によって該コネクション情報に対応するコネクションにおける通信の発生が検出された場合に、前記第１の情報格納手段に移動する第２のデータ移動手段と、
前記第１及び第２の情報格納手段に格納されているコネクション情報に含まれる移動機特定情報に基づいて、前記移動機の在圏状態を判断する状態判断手段と、
前記第１の情報格納手段に格納されているコネクション情報の少なくとも一部を、前記コネクション情報によって特定されるコネクションにおける通信の発生に応じて読み出して出力する情報伝達手段と、
を備えることを特徴とするコネクション管理装置。
【請求項２】
前記第１の情報格納手段に格納されているコネクション情報によって特定されるコネクションに関する監視情報を収集する情報収集手段を更に備える、
ことを特徴とする請求項１記載のコネクション管理装置。
【請求項３】
前記第１及び第２の情報格納手段に格納されているコネクション情報に対応する移動機特定情報を格納する管理情報格納手段を更に備え、
前記状態判断手段は、前記管理情報格納手段に格納された移動機特定情報に基づいて前記在圏状態を判断する、
ことを特徴とする請求項１又は２記載のコネクション管理装置。
【請求項４】
前記第１及び第２の情報格納手段に格納されているコネクション情報に対応する移動機特定情報を、該コネクション情報の格納場所を特定する格納場所特定情報に対応付けて格納する管理情報格納手段を更に備え、
前記第１及び第２のデータ移動手段は、前記管理情報格納手段に格納された格納場所特定情報に基づいて、前記第１の情報格納手段と前記第２の情報格納手段との間で前記コネクション情報を移動する、
ことを特徴とする請求項１又は２記載のコネクション管理装置。
【請求項５】
移動機と通信ネットワークとの間のコネクションを管理するコネクション管理方法であって、
情報取得手段が、前記コネクションの確立に応じて、前記移動機を特定する移動機特定情報を含むコネクション情報を取得するとともに、前記コネクションにおける通信の発生を検出する情報取得ステップと、
第１の情報格納手段が、前記情報取得ステップにおいて取得されたコネクション情報を格納する第１の情報格納ステップと、
第２の情報格納手段が、前記情報取得ステップによって取得されたコネクション情報を、前記第１の情報格納手段とは異なるデータ領域に格納する第２の情報格納ステップと、
第１のデータ移動手段が、前記第１の情報格納手段に格納されているコネクション情報を、該コネクション情報に対応するコネクションにおける無通信状態が所定時間以上継続している場合に、前記第２の情報格納手段に移動する第１のデータ移動ステップと、
第２のデータ移動手段が、前記第２の情報格納手段に格納されているコネクション情報を、前記情報取得手段によって該コネクション情報に対応するコネクションにおける通信の発生が検出された場合に、前記第１の情報格納手段に移動する第２のデータ移動ステップと、
状態判断手段が、前記第１及び第２の情報格納手段に格納されているコネクション情報に含まれる移動機特定情報に基づいて、前記移動機の在圏状態を判断する状態判断ステップと、
情報伝達手段が、前記第１の情報格納手段に格納されているコネクション情報の少なくとも一部を、前記コネクション情報によって特定されるコネクションにおける通信の発生に応じて読み出して出力する情報伝達ステップと、
を備えることを特徴とするコネクション管理方法。
【発明の詳細な説明】
【技術分野】
【０００１】
本発明は、移動機と通信ネットワークとの間のコネクションを管理するコネクション管理装置、及びコネクション管理方法に関するものである。
【背景技術】
【０００２】
従来から、ＩＭＴ−２０００（International Mobile Telecommunication 2000）網等の移動体通信網におけるＵプレーンを利用したHTTP等によるデータ通信が実現されている。このデータ通信に際しては、移動機の接続状態を網側で管理する必要性から、Ｃプレーン上の制御信号によって予めＴＣＰ／ＩＰコネクションを確立することが行われている。同様に、データ通信時にコネクションを確立するような技術の一例としては、例えば、下記特許文献１記載の接続支援サーバが開示されている。
【０００３】
一旦確立されたコネクションに対しては、移動体通信網内の管理装置によってコネクション上のデータ監視等のコネクション管理のための処理が実施される。そこで、一般には、そのコネクション管理を効率的に行うために、データ通信が一定期間発生しないコネクションに関してはそのコネクションの開放が実行される。これは、コネクション管理による無駄な通信リソースの消費や、処理負荷の増大を防止するためである。
【特許文献１】特開２００３−１６９０７５号公報
【発明の開示】
【発明が解決しようとする課題】
【０００４】
しかしながら、上述したようなコネクション管理の方法は、データ通信中のコネクション管理に主眼を置いているため、以下のような問題があった。すなわち、FMC（Fixed Mobile Convergence）サービスにおける無線ＬＡＮを経由したＨＴＴＰによるデータ通信等においてはＴＣＰ／ＩＰコネクションの有無によって移動機の在圏状態を判断する必要があるため、無通信時にＴＣＰ／ＩＰコネクションを開放してしまうと移動機の在圏状態が正確に判断できなくなる。また、一旦コネクションを開放すると、再度データ通信が必要な場合に再度コネクションを確立することが必要になり、効率的な通信が妨げられてしまう。
【０００５】
そこで、本発明は、かかる課題に鑑みて為されたものであり、通信方式が融合された通信ネットワークにおいても、効率的なコネクション管理を実現するとともに、移動機の在圏状態の管理を可能にするコネクション管理装置、及びコネクション管理方法を提供することを目的とする。
【課題を解決するための手段】
【０００６】
上記課題を解決するため、本発明のコネクション管理装置は、移動機と通信ネットワークとの間のコネクションを管理するコネクション管理装置であって、コネクションの確立に応じて、移動機を特定する移動機特定情報を含むコネクション情報を取得するとともに、コネクションにおける通信の発生を検出する情報取得手段と、情報取得手段によって取得されたコネクション情報を格納する第１の情報格納手段と、情報取得手段によって取得されたコネクション情報を、第１の情報格納手段とは異なるデータ領域に格納する第２の情報格納手段と、第１の情報格納手段に格納されているコネクション情報を、該コネクション情報に対応するコネクションにおける無通信状態が所定時間以上継続している場合に、第２の情報格納手段に移動する第１のデータ移動手段と、第２の情報格納手段に格納されているコネクション情報を、情報取得手段によって該コネクション情報に対応するコネクションにおける通信の発生が検出された場合に、第１の情報格納手段に移動する第２のデータ移動手段と、第１及び第２の情報格納手段に格納されているコネクション情報に含まれる移動機特定情報に基づいて、移動機の在圏状態を判断する状態判断手段と、第１の情報格納手段に格納されているコネクション情報の少なくとも一部を、コネクション情報によって特定されるコネクションにおける通信の発生に応じて読み出して出力する情報伝達手段とを備える。
【０００７】
或いは、本発明のコネクション管理方法は、移動機と通信ネットワークとの間のコネクションを管理するコネクション管理方法であって、情報取得手段が、コネクションの確立に応じて、移動機を特定する移動機特定情報を含むコネクション情報を取得するとともに、コネクションにおける通信の発生を検出する情報取得ステップと、第１の情報格納手段が、情報取得ステップにおいて取得されたコネクション情報を格納する第１の情報格納ステップと、第２の情報格納手段が、情報取得ステップによって取得されたコネクション情報を、第１の情報格納手段とは異なるデータ領域に格納する第２の情報格納ステップと、第１のデータ移動手段が、第１の情報格納手段に格納されているコネクション情報を、該コネクション情報に対応するコネクションにおける無通信状態が所定時間以上継続している場合に、第２の情報格納手段に移動する第１のデータ移動ステップと、第２のデータ移動手段が、第２の情報格納手段に格納されているコネクション情報を、情報取得手段によって該コネクション情報に対応するコネクションにおける通信の発生が検出された場合に、第１の情報格納手段に移動する第２のデータ移動ステップと、状態判断手段が、第１及び第２の情報格納手段に格納されているコネクション情報に含まれる移動機特定情報に基づいて、移動機の在圏状態を判断する状態判断ステップと、情報伝達手段が、第１の情報格納手段に格納されているコネクション情報の少なくとも一部を、コネクション情報によって特定されるコネクションにおける通信の発生に応じて読み出して出力する情報伝達ステップと、を備える。
【０００８】
このようなコネクション管理装置及びコネクション管理方法によれば、移動機と通信ネットワークとの間のコネクションの確立に応じて、そのコネクション情報が第１又は第２の情報格納手段に格納される。このとき、該当コネクションにおいて無通信状態が所定時間以上続いた場合にコネクション情報が第１の情報格納手段から第２の情報格納手段に移動され、該当コネクションにおいてデータ通信が発生するとコネクション情報が第１の情報格納手段に戻される。そして、第１及び第２の情報格納手段に格納されたコネクション情報によって移動機の在圏状態が判断されると共に、データ通信の発生に応じて第１の情報格納手段に格納されたコネクション情報が出力されてデータ通信処理に利用される。これにより、コネクションを開放することなくコネクション情報を利用した通信が迅速に行われると同時に、コネクションの有無により移動機の在圏状態を判断する場合の正確性が向上する。
【０００９】
第１の情報格納手段に格納されているコネクション情報によって特定されるコネクションに関する監視情報を収集する情報収集手段を更に備えることが好ましい。この場合、コネクションを開放することなくコネクションに関する監視情報の収集処理量が必要最小限に抑えられる。
【００１０】
また、第１及び第２の情報格納手段に格納されているコネクション情報に対応する移動機特定情報を格納する管理情報格納手段を更に備え、状態判断手段は、管理情報格納手段に格納された移動機特定情報に基づいて在圏状態を判断することも好ましい。こうすれば、移動機の在圏状態の判断の処理効率が向上する。
【００１１】
さらに、第１及び第２の情報格納手段に格納されているコネクション情報に対応する移動機特定情報を、該コネクション情報の格納場所を特定する格納場所特定情報に対応付けて格納する管理情報格納手段を更に備え、第１及び第２のデータ移動手段は、管理情報格納手段に格納された格納場所特定情報に基づいて、第１の情報格納手段と第２の情報格納手段との間でコネクション情報を移動することも好ましい。かかる構成を採れば、コネクション情報を通信状態に応じて分散管理する際のデータ移動処理の効率が向上し、データ通信を利用するユーザの利便性が向上する。
【発明の効果】
【００１２】
本発明によれば、通信方式が融合された通信ネットワークにおいても、効率的なコネクション管理を実現するとともに、移動機の在圏状態の管理が可能となる。
【発明を実施するための最良の形態】
【００１３】
以下、図面とともに本発明によるコネクション管理装置及びコネクション管理方法の好適な実施形態について詳細に説明する。なお、図面の説明においては同一要素には同一符号を付し、重複する説明を省略する。
【００１４】
図１は、本発明の好適な一実施形態であるデータ通信システム１の概略構成を示す図である。同図に示すデータ通信システム１は、携帯電話機、ＰＤＡ(Personal Digital Assistants)、ＰＨＳ（Personal Handyphone System）等の移動機２とインターネット等の公衆通信ネットワークＮ２との間でデータを中継する通信システムであり、移動機２と公衆通信ネットワークＮ２との間で送受信されるデータを中継する通信ネットワークＮ１を有している。通信ネットワークＮ１は、移動機２との間で無線ＬＡＮ通信方式による無線通信を行う無線ＬＡＮアクセスポイント４と、移動機２との間でＩＭＴ−２０００方式の移動体通信を行う無線基地局３と、無線基地局３及び無線ＬＡＮアクセスポイント４とデータ通信管理装置（コネクション管理装置）６との間で送受信されるデータを中継する無線ＧＷ装置５と、移動機２との間でＨＴＴＰによるデータ通信のためのコネクションを確立し該当コネクションに関する各種監視処理（該当コネクション上のデータ量の収集等）を実行するとともに、移動機２と公衆通信ネットワークＮ２との間におけるプロキシサーバとして機能するデータ通信管理装置６とを含んでいる。なお、便宜上、無線ＬＡＮアクセスポイント４、無線基地局３、無線ＧＷ装置５及び、データ通信管理装置６をそれぞれ１台ずつ図示しているが、それぞれ複数台存在していてもよい。
【００１５】
まず、本実施形態に係るデータ通信管理装置６の構成について説明する。図２は、データ通信管理装置６の機能的構成を示すブロック図である。データ通信管理装置６は、機能的には、同図に示すように、呼処理部（情報取得手段）１１と、コネクション処理部（情報収集手段）１２と、呼管理部１３とを備え、呼管理部１３は、コネクション情報管理部（第１及び第２のデータ移動手段）１４と、優先データ格納部（第１の情報格納手段）１５と、非優先データ格納部（第２の情報格納手段）１６と、呼管理テーブル格納部（管理情報格納手段）１７と、状態判断部（状態判断手段）１８と、コネクション情報伝達部（情報伝達手段）１９とを含んで構成されている。
【００１６】
また、図３は、データ通信管理装置６のハードウェア構成図である。データ通信管理装置６は、物理的には、図２に示すように、ＣＰＵ２１、主記憶装置であるＲＡＭ２２及びＲＯＭ２３、ハードディスク等の補助記憶装置２５、入力デバイスであるキーボード及びマウス等の入力装置２６、ディスプレイ等の出力装置２７、ネットワークカード等のデータ送受信デバイスである通信モジュール２４などを含むコンピュータシステムとして構成されている。図２において説明した各機能は、図３に示すＣＰＵ２１、ＲＡＭ２２等のハードウェア上に所定のコンピュータソフトウェアを読み込ませることにより、ＣＰＵ２１の制御のもとで通信モジュール２４、入力装置２６、出力装置２７を動作させるとともに、ＲＡＭ２２や補助記憶装置２５におけるデータの読み出し及び書き込みを行うことで実現される。
【００１７】
以下、図２を用いて、各機能要素について詳細に説明する。
【００１８】
呼処理部１１は、移動機２又は公衆通信ネットワークＮ２からの接続要求信号に応じて、移動機２との間のコネクションを確立した後、移動機２を特定する移動機電話番号及び移動機ＩＰアドレスを含む該当コネクションに対応するコネクション情報を取得する。より詳細には、呼処理部１１は、移動機２とのコネクションの確立に応じて、移動機２を特定する電話番号“０９０ａａａａｂｂｂｂ”、移動機２への接続先を示すＩＰアドレス“１０．Ｘ．Ｘ．１”、及び呼接続の開始時刻“２００６／１／２３  １０：００：００”を含むコネクション情報を取得し、コネクション情報管理部１４に出力する。
【００１９】
また、呼処理部１１は、移動機２との間のコネクションにおける信号をモニタすることによってＨＴＴＰデータ通信の要求を検出し、データ通信要求が発生した場合は、移動機２の電話番号等の移動機特定情報をコネクション情報管理部１４に出力する。さらに、呼処理部１１は、該当コネクションにおけるＨＴＴＰデータ通信要求が発生した場合は、コネクション情報伝達部１９を介して該当コネクションに関するコネクション情報を取得して、移動機２と公衆通信ネットワークＮ２との間のデータ通信を中継する。
【００２０】
コネクション情報管理部１４は、呼処理部１１から移動機２とのコネクション確立に応じて出力されたコネクション情報を、次のようにして、優先データ格納部１５、又は優先データ格納部１５とは異なるデータ領域の非優先データ格納部１６のどちらかに格納する。すなわち、コネクション情報管理部１４は、呼処理部１１からコネクション情報が最初に出力されると、該当コネクションを特定する呼管理番号とともに優先データ格納部１５に格納する。図４は、このようにして優先データ格納部１５に格納されたデータの構成を示す図であり、優先データ格納部１５には、呼処理部１１から出力された移動機電話番号“０９０ａａａａｂｂｂｂ”、移動機ＩＰアドレス“１０．Ｘ．Ｘ．１”、及び呼接続開始時刻“２００６／１／２３  １０：００：００”が、呼管理番号“Ａ−１”及びコネクション処理フラグ“ＯＮ”に対応付けて格納される。このコネクション処理フラグは、該当コネクションに対する監視情報収集等の各種処理を実施するか否かを示すフラグであり、呼管理番号は、コネクション情報の格納場所が優先データ格納部１５であることを示す符号（格納場所特定情報）“Ａ”を含む。同時に、コネクション情報管理部１４は、優先データ格納部１５に格納したコネクション情報に関する管理情報を、呼管理テーブル格納部１７に格納する。図６は、呼管理テーブル格納部１７に格納されたデータの構成を示す図であり、コネクション情報における接続先を特定する移動機電話番号“０９０ａａａａｂｂｂｂ”が、呼管理番号“Ａ−１”、及び経過時間“６００（秒）”に関連付けて格納される。この経過時間は、コネクション情報管理部１４がコネクション情報を格納してからの経過時間を示すように定期的に更新されるタイマである。
【００２１】
また、コネクション情報管理部１４は、優先データ格納部１５にコネクション情報を格納した時刻から、該当コネクション情報に対応するコネクションにおける無通信状態が所定時間Ｔ０以上継続している場合に、コネクション情報を非優先データ格納部１６に移動する。具体的には、コネクション情報管理部１４は、呼管理テーブル格納部１７から呼管理番号に符号“Ａ”を含む管理情報を読み出して、その管理情報によって特定されるコネクション情報を対象にして優先データ格納部１５から非優先データ格納部１６にデータを移動する。ここで、無通信状態は、呼処理部１１において該当コネクション上のデータ通信要求が検出されていないか否かで判断され、その継続時間は、呼管理テーブル格納部１７に格納された管理情報の中の経過時間を参照することで計測される。図５は、このようにして非優先データ格納部１６に格納されたデータの構成を示す図である。非優先データ格納部１６には、優先データ格納部１５に格納されていたコネクション情報のうちの移動機電話番号“０９０ａａａａｂｂｂｂ”、移動機ＩＰアドレス“１０．Ｘ．Ｘ．１”、及び呼接続開始時刻“２００６／１／２３  １０：００：００”が、呼管理番号“B−１”に関連付けて格納される。すなわち、呼管理番号は、コネクション情報の格納場所が非優先データ格納部１６であることを示す符号（格納場所特定情報）“Ｂ”を含む番号に置換される。このとき、コネクション情報管理部１４は、呼管理テーブル格納部１７に格納された該当コネクション情報に関する呼管理番号をも併せて更新するとともに、そのコネクション情報における経過時間を削除する。
【００２２】
さらに、コネクション情報管理部１４は、非優先データ格納部１６に格納されているコネクション情報に対応するコネクションにおいてＨＴＴＰを利用したデータ通信要求が発生した場合に、該当コネクション情報を非優先データ格納部１６から優先データ格納部１５に移動する。ここで、コネクション情報管理部１４は、移動機２との間のコネクションにおけるデータ通信要求の発生を、呼処理部１１から出力される移動機２の電話番号により検出する。具体的には、コネクション情報管理部１４は、呼管理テーブル格納部１７から呼管理番号に符号“Ｂ”を含む管理情報を読み出して、その管理情報の中でデータ通信要求が発生したコネクション情報を特定して非優先データ格納部１６から優先データ格納部１５に移動し、そのコネクション情報における呼管理番号を符号“Ａ”を含む番号に置換するとともにコネクション処理フラグを追加する。同時に、コネクション情報管理部１４は、呼管理テーブル格納部１７に格納された該当コネクション情報に関する呼管理番号を併せて更新するとともに、そのコネクション情報の経過時間を“０”にリセットする。
【００２３】
コネクション情報伝達部１９は、呼処理部１１によってデータ通信要求が検出された場合に、呼処理部１１からの要求に応じて、該当コネクションに関するコネクション情報を優先データ格納部１５から読み出して呼処理部１１に返す。具体的には、コネクション情報伝達部１９は、移動機２との間のコネクション上におけるデータ通信要求があった場合には、図４に示す優先データ格納部１５のデータの中から移動機２の電話番号“０９０ａａａａｂｂｂｂ”に基づいて、呼管理番号“Ａ−１”、及び移動機２のＩＰアドレス“１０．Ｘ．Ｘ．１”を含むコネクション情報が読み出されて呼処理部１１に出力される。このとき、コネクション情報伝達部１９は、該当するコネクション情報が非優先データ格納部１６に格納されていた場合は、コネクション情報管理部１４によって優先データ格納部１５に移動されたコネクション情報を読み出して出力する。
【００２４】
状態判断部１８は、呼管理テーブル格納部１７に格納されている管理情報に基づいて移動機２の在圏状態、すなわち、移動機２が無線基地局３或いは無線ＬＡＮアクセスポイント４の通信エリア内に存在するか否かを判定する。このとき、状態判断部１８は、呼管理テーブル格納部１７から読み出した管理情報の中に移動機２の電話番号を含む管理情報が存在する場合は移動機２が通信エリア内に存在すると判断し、移動機２の電話番号を含む管理情報が存在しない場合は移動機２が通信エリア外に存在すると判断する。その結果、状態判断部１８は、データ格納部１５，１６に移動機２の電話番号を含むコネクション情報が存在しているか否かに基づいて在圏状態を判断することになり、公衆通信ネットワークＮ２から移動機２への接続可否について適切に判断することができる。
【００２５】
コネクション処理部１２は、優先データ格納部１５に格納されたコネクション情報に対応するコネクションに関する監視情報の収集等の各種処理を実行する。ここで、コネクション処理部１２は、コネクション情報に含まれるコネクション処理フラグが“ＯＮ”になっているコネクションを対象として、例えば、該当コネクション上のデータ量や、通信相手先ＩＰアドレス等の監視情報の収集を実行する。
【００２６】
以下、図７を参照して、データ通信管理装置６の動作について説明するとともに、併せてデータ通信管理装置６におけるコネクション管理方法について詳述する。
【００２７】
まず、移動機２が、データ通信システム１の通信エリア外から無線ＬＡＮアクセスポイント４の通信エリア内に移動してきたことを想定する（ステップＳ１０１）。そうすると、呼処理部１１が、移動機２からデータ通信管理装置６に対する接続要求を検出する（ステップＳ１０２）。これに対して、呼処理部１１は、移動機２との間でＴＣＰ／ＩＰコネクションを確立する（ステップＳ１０３）。コネクションの確立に応じて、呼処理部１１は、該当コネクションに関するコネクション情報を取得してコネクション情報管理部１４に出力し、コネクション情報管理部１４が優先データ格納部１５にコネクション情報を格納する（ステップＳ１０４）。それと同時に、コネクション情報管理部１４は、該当コネクション情報に対応する管理情報における経過時間の計時をスタートさせる（ステップＳ１０５）。
【００２８】
その後、コネクション処理部１２が、優先データ格納部１５に格納されているコネクション情報の中でコネクション処理フラグが“ＯＮ”となっているものを対象にして、該当コネクションに対する監視情報収集等の各種処理を随時実行する（ステップＳ１０６）。次に、コネクション情報管理部１４は、優先データ格納部１５に格納されているコネクション情報に対応するコネクションにおいて所定時間Ｔ０内にＨＴＴＰデータ通信要求が発生しているか否かを判定する（ステップＳ１０７）。
【００２９】
上記判定の結果、データ通信要求が発生している場合は（ステップＳ１０７；ＹＥＳ）、コネクション情報伝達部１９を介して呼処理部１１に対して該当コネクション情報を出力する。そして、コネクション情報管理部１４は、呼管理テーブル格納部１７に格納されている該当コネクション情報の管理情報の中の経過時間を“０”にリセットする（ステップＳ１０９）。その後、呼処理部１１が移動機２と公衆通信ネットワークＮ２の間で送受信されるデータを中継し（ステップＳ１１０）、再度ステップＳ１０７に戻る。
【００３０】
これに対して、データ通信要求が発生していない場合は（ステップＳ１０７；ＮＯ）、コネクション情報管理部１４は、該当コネクション情報を優先データ格納部１５から非優先データ格納部１６に移動し、呼管理テーブル格納部１７における該当コネクション情報の管理情報を更新する（ステップＳ１１１）。それと同時に、コネクション処理部１２は、該当コネクションに対する各種処理を中止する（ステップＳ１１２）。その後、コネクション情報管理部１４は、該当コネクションにおいてＨＴＴＰデータ通信要求が発生しているか否かを監視し（ステップＳ１１３）、データ通信要求が発生した場合は、該当コネクション情報を非優先データ格納部１６から優先データ格納部１５に再度移動させ（ステップＳ１１４）、処理をステップＳ１０８に移行する。これにより、該当コネクション上でデータ通信処理が実行される。
【００３１】
以上説明したデータ通信管理装置６によれば、移動機２と通信ネットワークＮ１との間のコネクションの確立に応じて、そのコネクション情報が優先データ格納部１５又は非優先データ格納部１６に格納される。このとき、該当コネクションにおいて無通信状態が所定時間Ｔ０以上続いた場合にコネクション情報が優先データ格納部１５から非優先データ格納部１６に移動され、該当コネクションにおいてデータ通信が発生するとコネクション情報が優先データ格納部１５に戻される。そして、それぞれのデータ格納部１５，１６に格納されたコネクション情報によって移動機２の在圏状態が判断されると共に、データ通信の発生に応じて優先データ格納部１５に格納されたコネクション情報が出力されてデータ通信処理に利用される。これにより、コネクションを開放することなく優先データ格納部１５に格納された情報のみを利用してデータ通信を実行することで、コネクション情報を利用した通信が迅速に行われるとともにデータ通信システム１内のリソースを効率的に利用することができる。それと同時に、優先データ格納部１５及び非優先データ格納部１６の両方におけるコネクション情報の有無により移動機２の在圏状態を判断することで、在圏状態の判断の正確性が向上する。
【００３２】
また、優先データ格納部１５に格納されているコネクション情報によって特定されるコネクションに対する監視情報を収集するコネクション処理部１２を備えることで、コネクションを開放することなくコネクションに関する監視情報の収集処理量が必要最小限に抑えられる。
【００３３】
また、状態判断部１８は、呼管理テーブル格納部１７に格納された移動機電話番号に基づいて在圏状態を判断するので、移動機２の在圏状態の判断の処理効率が向上する。
【００３４】
さらに、コネクション情報管理部１４は、呼管理テーブル格納部１７に格納された呼管理番号に基づいて、データ格納部１５，１６の間でコネクション情報を移動するので、コネクション情報を通信状態に応じて分散管理する際のデータ移動処理の効率が向上し、データ通信を利用するユーザの利便性が向上する。
【００３５】
なお、本発明は、前述した実施形態に限定されるものではない。例えば、無線ＧＷ装置５とデータ通信管理装置６とは一体的に構成されていてもよい。このようにすることで、通信ネットワークＮ１内のコアネットワークＮ３におけるコネクション確立の処理軽減が図れる。
【図面の簡単な説明】
【００３６】
【図１】本発明の好適な一実施形態であるデータ通信システムの概略構成を示す図である。
【図２】図１のデータ通信管理装置の機能的構成を示すブロック図である。
【図３】図１のデータ通信管理装置のハードウェア構成図である。
【図４】図２の優先データ格納部に格納されたデータの構成を示す図である。
【図５】図２の非優先データ格納部に格納されたデータの構成を示す図である。
【図６】図２の呼管理テーブル格納部に格納されたデータの構成を示す図である。
【図７】図２のデータ通信管理装置の動作を示すフローチャートである。
【符号の説明】
【００３７】
１…データ通信システム、２…移動機、６…データ通信管理装置（コネクション管理装置）、１１           呼処理部（情報取得手段）、１２…コネクション処理部（情報収集手段）、１４…コネクション情報管理部（第１及び第２のデータ移動手段）、１５…優先データ格納部（第１の情報格納手段）、１６…非優先データ格納部（第２の情報格納手段）、１７…呼管理テーブル格納部（管理情報格納手段）、１８…状態判断部（状態判断手段）、１９…コネクション情報伝達部（情報伝達手段）、Ｎ１…通信ネットワーク、Ｎ２…公衆通信ネットワーク、Ｎ３…コアネットワーク。
【図１】
2007306401.tif 000003
【図２】
2007306401.tif 000004
【図３】
2007306401.tif 000005
【図４】
2007306401.tif 000006
【図５】
2007306401.tif 000007
【図６】
2007306401.tif 000008
【図７】
2007306401.tif 000009